(57)【要約】【課題】おむつの通気性を高めつつ、ずり落ちを抑制する。【解決手段】おむつ２は、軟領域３と、軟領域３よりも硬い硬領域４と、軟領域３よりも硬く且つ硬領域４よりも柔らかい中領域５とを備えている。軟領域３は、腹側端部２ｆ又は背側端部２ｒを含み、幅方向に延在する。硬領域４は、軟領域３よりも股下部側に設けられる。中領域５は、軟領域３及び硬領域４の間にわたると共に幅方向に延在する。中領域５には、長手方向に延在すると共に他部よりも補強されて梁構造をなす第一補強部６Ｃが設けられている。【選択図】図３
2022002684.tif 000002
【特許請求の範囲】
【請求項１】
腹側端部又は背側端部を含み、幅方向に延在する軟領域と、
前記軟領域よりも股下部側に設けられ、前記軟領域よりも硬い硬領域と、
前記軟領域及び前記硬領域の間にわたると共に幅方向に延在し、前記軟領域よりも硬く且つ前記硬領域よりも柔らかい中領域と、を備え、
前記中領域には、長手方向に延在すると共に他部よりも補強されて梁構造をなす第一補強部が設けられた
ことを特徴とする、おむつ。
【請求項２】
前記軟領域には、肌側の表面と非肌側の表面とのそれぞれに延在する表面シートが積層され、
前記中領域には、前記表面シートに加えて、液不透過性をもつバックシートが積層された
ことを特徴とする、請求項１に記載のおむつ。
【請求項３】
前記硬領域には、所定の機能をもつシート状の機能材が設けられた
ことを特徴とする、請求項１又は２に記載のおむつ。
【請求項４】
前記機能材は、幅方向に弾性変形してウェストギャザーをなす弾性部材である
ことを特徴とする、請求項３に記載のおむつ。
【請求項５】
前身頃及び後身頃の一方における幅方向の両側に設けられ、前記前身頃及び前記後身頃の他方に止着される止着テープを備え、
前記機能材は、前記止着テープが止着されるターゲットシートである
ことを特徴とする、請求項３又は４に記載のおむつ。
【請求項６】
前記中領域には、肌側の表面に延在する肌面シートと非肌側の表面に延在する非肌面シートとが積層され、
前記硬領域には、前記肌面シート及び前記非肌面シートに加えて、前記肌面シート及び前記非肌面シートよりも厚み寸法の大きい吸収体が前記肌面シート及び前記非肌面シートの間に積層され、
前記非肌面シートは、前記中領域と前記硬領域とにわたって平面状に延在し、
前記肌面シートは、前記中領域から前記硬領域にかけて前記吸収体の厚み寸法に応じて肌側に隆起した段状をなす
ことを特徴とする、請求項１〜５のいずれか一項に記載のおむつ。
【請求項７】
前記中領域には、肌側の表面に延在する肌面シートと非肌側の表面に延在する非肌面シートとが積層され、
前記硬領域には、前記肌面シート及び前記非肌面シートに加えて、前記肌面シート及び前記非肌面シートよりも厚み寸法の大きい吸収体が前記肌面シート及び前記非肌面シートの間に積層され、
前記肌面シートは、前記中領域と前記硬領域とにわたって平面状に延在し、
前記非肌面シートは、前記中領域から前記硬領域にかけて前記吸収体の厚み寸法に応じて非肌側に隆起した段状をなす
ことを特徴とする、請求項１〜５のいずれか一項に記載のおむつ。
【請求項８】
前記軟領域には、長手方向に延在すると共に他部よりも補強されて梁構造をなす第二補強部が設けられた
ことを特徴とする、請求項１〜７のいずれか一項に記載のおむつ。
【請求項９】
前記軟領域及び前記中領域の少なくとも一方は、非肌側の表面よりも肌側の表面において、摩擦係数が小さい
ことを特徴とする、請求項１〜８のいずれか一項に記載のおむつ。
【請求項１０】
前記軟領域及び前記中領域の各々は、長手方向の寸法が５ｍｍ以上且つ１５ｍｍ以下である
ことを特徴とする、請求項１〜９のいずれか一項に記載のおむつ。
【請求項１１】
前記軟領域及び前記中領域は、長手方向の合計の寸法が２５ｍｍ以下である
ことを特徴とする、請求項１〜１０のいずれか一項に記載のおむつ。
【請求項１２】
前記軟領域と前記硬領域と前記中領域とが、前身頃及び後身頃のそれぞれに設けられた
ことを特徴とする、請求項１〜１１のいずれか一項に記載のおむつ。
【発明の詳細な説明】
【技術分野】
【０００１】
本件は、通気性を向上させたおむつに関する。
【背景技術】
【０００２】
従来、おむつの通気性を向上させる種々の技術が知られている。例えば、展開状態のおむつの平面視で防水フィルムを囲む全周領域を不織布のみで構成することにより、着用者の腰部及び股間周り部分の通気性を高めるようにした技術が提案されている（特許文献１参照）。
【先行技術文献】
【特許文献】
【０００３】
【特許文献１】特開２００１−９５８３８号公報
【発明の概要】
【発明が解決しようとする課題】
【０００４】
おむつの腹側端部及び背側端部は、上記のように防水フィルムが配置されずに不織布のみで構成された場合には、防水フィルムが配置された部分よりも柔軟性が高く折れ曲がりやすいため、おむつが着用者に装着された装着状態で外側（非肌側）へ捲れることがある。腹側端部や背側端部が大きく捲れた場合は、外側の衣服（例えばズボン）との接触面積が増えることで、おむつのずり落ちを招く。従来のおむつは、このようなずり落ちを抑制するうえで改善の余地がある。
【０００５】
本件は、上記のような課題に鑑みて創案されたものであり、おむつの通気性を高めつつ、ずり落ちを抑制することを目的の一つとする。
【課題を解決するための手段】
【０００６】
本件のおむつは、腹側端部又は背側端部を含み、幅方向に延在する軟領域と、前記軟領域よりも股下部側に設けられ、前記軟領域よりも硬い硬領域と、前記軟領域及び前記硬領域の間にわたると共に幅方向に延在し、前記軟領域よりも硬く且つ前記硬領域よりも柔らかい中領域と、を備え、前記中領域には、長手方向に延在すると共に他部よりも補強されて梁構造をなす第一補強部が設けられたことを特徴としている。
【発明の効果】
【０００７】
本件によれば、おむつの通気性を高めつつ、ずり落ちを抑制できる。
【図面の簡単な説明】
【０００８】
【図１】おむつの分解斜視図である。
【図２】おむつを肌側から視た平面図である。
【図３】おむつの前身頃の要部を非肌側から視た平面図である。
【図４】おむつの後身頃の要部を非肌側から視た平面図である。
【図５】おむつの前身頃の模式的な長手方向断面図（図３のＡ−Ａ矢視断面図）である。
【図６】おむつの作用を説明する模式的な長手方向断面図であり、（ａ）は軟領域が捲れた状態を示し、（ｂ）は軟領域に加えて中領域も捲れた状態を示す。
【図７】変形例に係る前身頃の模式的な長手方向断面図（図５に対応する図）である。
【図８】図７の前身頃の軟領域及び中領域が捲れた状態を示す模式的な長手方向断面図である。
【図９】（ａ）は変形例に係るおむつの正面図（前面図）であり、（ｂ）はその背面図（後面図）である。
【発明を実施するための形態】
【０００９】
本件のおむつを実施するための形態を説明する。この実施形態はあくまでも例示に過ぎず、下記の実施形態で明示しない種々の変形や技術の適用を排除する意図はない。本実施形態の各構成は、それらの趣旨を逸脱しない範囲で種々変形して実施できる。また、必要に応じて取捨選択でき、あるいは適宜組み合わせることができる。
【００１０】
［１．構成］
［１−１．全体構成］
まず、図１及び図２を参照して、本実施形態に係るおむつ２の全体構成を説明する。
本実施形態のおむつ２は、着用者に装着された装着状態において、着用者の腹部に対向する前身頃２Ａと、着用者の背部に対向する後身頃２Ｂとが、止着テープ１（以下、単に「テープ１」という）で互いに連結されるテープ型のものである。ここでは、おむつ２として紙おむつ（いわゆる使い捨ておむつ）を例示する。なお、おむつ２には、上記の前身頃２Ａ及び後身頃２Ｂに加えて、装着状態で着用者の股間に対向する股下部２Ｃが設けられる。股下部２Ｃは、おむつ２が平面状に広げられた展開状態で、前身頃２Ａと後身頃２Ｂとの間に位置する。
【００１１】
以下、展開状態で前身頃２Ａと後身頃２Ｂとを結ぶ方向を「長手方向」とする。また、捲れが生じていない通常の装着状態で、着用者の肌に向かう側を「肌側」とし、この反対側を「非肌側」とする。さらに、肌側と非肌側とを結ぶ方向を「厚み方向」とし、長手方向と厚み方向とのいずれにも直交する方向を「幅方向」とする。そのほか、厚み方向から視ることを「平面視」とする。
本実施形態のおむつ２は、幅方向の中心線Ｏを基準として対称に形成されている。おむつ２は、テープ１と、吸収体２１と、種々のシート２２〜２６と、種々のギャザー２７〜２９とを備えている。以下、これらの構成について順に説明する。
【００１２】
＜テープ＞
テープ１は、前身頃２Ａ及び後身頃２Ｂの一方における幅方向の両側に着脱不能に設けられ、前身頃２Ａ及び後身頃２Ｂの他方に着脱可能に設けられる。本実施形態では、後身頃２Ｂ（前身頃２Ａ及び後身頃２Ｂの一方）の幅方向の両側に設けられ、おむつ２の装着時に前身頃２Ａ（前身頃２Ａ及び後身頃２Ｂの他方）に止着されるテープ１を例示する。なお、テープ１の個数は特に限定されないが、ここではテープ１が後身頃２Ｂの幅方向の両側に一つずつ（合計一対）設けられた例を示す。
【００１３】
＜吸収体＞
吸収体２１は、吸液性をもつマット状の部材である。吸収体２１は、例えば、高吸水性樹脂（ＳＡＰ；Super Absorbent Polymer）がフラッフパルプに混合されたマットを、親水性の不織布やティシュペーパ等のコアラップシートで被包することにより形成される。吸収体２１は、テープ１やシート２２〜２６よりも厚み方向の寸法（厚み寸法）が大きい。
【００１４】
吸収体２１は、前身頃２Ａと股下部２Ｃと後身頃２Ｂとにわたって長手方向に延びる。吸収体２１は、尿や便等の排泄物が着用者から排泄されうる箇所を含む領域に配置される。ここでは、おむつ２において着用者の肌に対向する肌対向面をなす後述のトップシート２２に対し、非肌側かつ幅方向の中央部に設けられた吸収体２１を例示する。
【００１５】
＜シート＞
シート２２〜２６はいずれも、展開状態で長手方向及び幅方向に沿って広がるシート状の部材である。
吸収体２１の肌側には、液透過性をもつトップシート２２（表面シート，肌面シート）が配置される。トップシート２２は、吸収体２１よりも長手方向及び幅方向に長く形成され、吸収体２１を肌側から被覆するように設けられる。トップシート２２は、おむつ２において肌側の表面（おもて面）に延在する。トップシート２２は、例えば、織布や不織布で形成される。ここでは平面視で矩形状をなすトップシート２２を例示する。
【００１６】
本実施形態のトップシート２２は、おむつ２の長手方向の全域にわたって設けられている。すなわち、図２に示すようにトップシート２２は、おむつ２の長手方向の一端部２ｆと他端部２ｒとの間にわたって延びる。以下、おむつ２の長手方向の一端部２ｆ及び他端部２ｒのうち、前身頃２Ａ側の一方で幅方向に延びる端縁を「腹側端部２ｆ」ともいい、後身頃２Ｂ側の他方で幅方向に延びる端縁を「背側端部２ｒ」ともいう。
【００１７】
本実施形態のトップシート２２には、長手方向に延在する溝状の凹部６（補強部）が設けられている。凹部６は、トップシート２２の肌側の表面において非肌側へ窪んだ形状であり、例えば、トップシート２２にエンボス加工が施されることで形成される。ここでは、トップシート２２の長手方向の全域にわたって直線状に延びた多数の凹部６が幅方向に等間隔に配置された例を示す。
凹部６は、トップシート２２において凹部６以外の他部よりも補強されており、梁構造をなす。長手方向に延在する凹部６は、平面視で長手方向に交差する線（例えば幅方向に沿う線）を折れ線とする折れ曲がりに対抗する。
【００１８】
トップシート２２の幅方向の外側には、吸収体２１から幅方向の外側への液漏れを防ぐために、液不透過性をもつサイドシート２３が配置される。サイドシート２３は、好ましくは、通気性と柔軟性をもつ材料で形成される。サイドシート２３に適用される材料としては、例えば、ＳＭＳ（Spunbond Meltblown Spunbond）不織布やＳＭＭＳ（Spunbond Meltblown Meltblown Spunbond）不織布が挙げられる。
サイドシート２３は、トップシート２２の幅方向の両側に一対設けられて長手方向に延在する。本実施形態のサイドシート２３は、トップシート２２と同様に、おむつ２の長手方向の全域にわたって設けられている。
【００１９】
図１に示すように、吸収体２１の非肌側には、吸収体２１から非肌側への液漏れを防ぐために、液不透過性をもつバックシート２４が配置される。本実施形態のバックシート２４は、トップシート２２よりも長手方向に短く形成されており、腹側端部２ｆ及び背側端部２ｒよりも長手方向の内側に位置する。バックシート２４は、例えばフィルムで形成される。
【００２０】
バックシート２４の非肌側には、バックシート２４を補強すると共に触感（例えば手触り）を向上させるためにカバーシート２５（表面シート，非肌面シート）が配置される。カバーシート２５は、おむつ２において非肌側の表面（うら面）に延在する。カバーシート２５は、おむつ２の腹側端部２ｆ及び背側端部２ｒの間にわたって延びる。カバーシート２５は、例えば、織布や不織布で形成される。
なお、カバーシート２５とサイドシート２３との間には、テープ１が挟装される。
【００２１】
カバーシート２５の非肌側の表面には、テープ１が止着されるターゲットシート２６（機能材）が貼り付けられる。ここでは、前身頃２Ａ（前身頃２Ａ及び後身頃２Ｂの他方）に設けられたターゲットシート２６を例示する。
ターゲットシート２６は、テープ１の止着先としての機能をもつシート状の部材である。本実施形態のターゲットシート２６は、平面視において、長手方向の寸法よりも幅方向の寸法が大きい矩形状であり、幅方向に延在する。ターゲットシート２６は、テープ１に設けられる止着材（図示略）と共にファスニング機構を構成する。このファスニング機構としては、例えば、フック材（雄部材）とループ材（雌部材）とで機械的に結合する面状ファスナーを適用できる。
【００２２】
＜ギャザー＞
ギャザー２７〜２９は、ゴムや伸縮フィルムやポリウレタンといった弾性部材７〜９により、サイドシート２３やカバーシート２５等が襞状に皴寄せられて構成される。ギャザー２７〜２９は、おむつ２の着用者へのフィット性を高める機能をもつ。なお、図１及び図２には、ギャザー２７〜２９の皺が伸ばされたおむつ２を示す。
【００２３】
立体ギャザー２７は、サイドシート２３の幅方向の内側部分が弾性部材７により長手方向に伸縮可能に皺寄せられて構成される。立体ギャザー２７は、トップシート２２の幅方向の両側かつ肌側に一対設けられ、長手方向に延在する。ここでは、長手方向に沿って延在する糸状の複数の弾性部材７が幅方向に間隔をあけて設けられた例を示す。立体ギャザー２７は、弾性部材７が長手方向に収縮することで肌側に起立する。
レッグギャザー２８は、おむつ２において着用者の脚部に沿う箇所に設けられる。レッグギャザー２８は、例えば、サイドシート２３とバックシート２４とカバーシート２５とが、長手方向に延在する弾性部材８で長手方向に伸縮可能に皺寄せられて構成される。
【００２４】
ウェストギャザー２９は、おむつ２において着用者の腰部（臀部の上方）に対向する箇所に設けられる。ここでは、幅方向に弾性変形する弾性部材９（機能材）により、シート２２〜２５が幅方向に伸縮可能に皺寄せられてなるウェストギャザー２９を例示する。このようにウェストギャザー２９をなす弾性部材９は、着用者の腰部に対する後身頃２Ｂのフィット性を高める機能をもつ。ここでは、長手方向かつ幅方向に沿って配置されたシート状の弾性部材９を例示する。本実施形態の弾性部材９は、トップシート２２とバックシート２４との間に積層されている。
【００２５】
［１−２．要部構成］
以下、図３〜５を参照して、おむつ２に設けられた三種類の領域３〜５について詳述する。
おむつ２は、硬さ（柔軟性）が互いに異なる三種類の領域３〜５を備えている。本実施形態では、図３に示す前身頃２Ａと、図４に示す後身頃２Ｂとの各々に、三種類の領域３〜５が設けられたおむつ２を例示する。
【００２６】
ここで、三種類の領域３〜５のうち、最も柔らかい（折れ曲がりやすい）ものを「軟領域３」ともいい、最も硬い（折れ曲がりにくい）ものを「硬領域４」ともいい、軟領域３よりも硬くて硬領域４よりも柔らかいものを「中領域５」ともいう。これらの領域３〜５は、腹側端部２ｆ又は背側端部２ｒから股下部２Ｃ側へ向けて、おむつ２が段階的に硬くなるように、軟領域３，中領域５，硬領域４の順に設定される。
以下、前身頃２Ａに設けられた領域３〜５を、「前軟領域３Ａ」，「前硬領域４Ａ」，「前中領域５Ａ」ともいい、後身頃２Ｂに設けられた領域３〜５を、「後軟領域３Ｂ」，「後硬領域４Ｂ」，「後中領域５Ｂ」ともいう。
【００２７】
本実施形態の凹部６は、軟領域３と中領域５と硬領域４とにわたって延在している。より具体的にいえば、凹部６は、前軟領域３Ａと前中領域５Ａと前硬領域４Ａとにわたって延在すると共に、後軟領域３Ｂと後中領域５Ｂと後硬領域４Ｂとにわたって延在する。以下、凹部６のうち、軟領域３に設けられた部分を軟凹部６Ａ（第二補強部）ともいい、硬領域４に設けられた部分を硬凹部６Ｂともいい、中領域５に設けられた部分を中凹部６Ｃ（第一補強部）ともいう。
【００２８】
まず、前身頃２Ａに着目して説明する。
図３及び図５に示すように、前身頃２Ａには、腹側端部２ｆから股下部２Ｃ（長手方向の内側，図３中の下側）へ向けて、前軟領域３Ａ，前中領域５Ａ，前硬領域４Ａがこの順に隙間なく並んで設けられている。本実施形態では、前軟領域３Ａ，前中領域５Ａ，前硬領域４Ａが、おむつ２の幅方向の中央部に設定された例を示す。
【００２９】
前軟領域３Ａは、腹側端部２ｆを含み、幅方向に延在する。本実施形態の前軟領域３Ａには、トップシート２２及びカバーシート２５が積層されており、バックシート２４や吸収体２１は設けられてない。すなわち、前軟領域３Ａは、バックシート２４よりも腹側端部２ｆ側でトップシート２２及びカバーシート２５が厚み方向に重ね合わされた領域である。なお、前軟領域３Ａの幅方向の両側には、サイドシート２３も設けられている。
本実施形態の前軟領域３Ａには、軟凹部６Ａが設けられている。軟凹部６Ａが設けられた前軟領域３Ａは、軟凹部６Ａが設けられない場合と比べて、平面視で長手方向に交差する軸まわりの丸まりが抑制される。これにより前軟領域３Ａは、略平面状の姿勢を保ったまま、前中領域５Ａに対して折り返されやすくなっている。
【００３０】
本実施形態の前軟領域３Ａは、折り返しモードを適切に設定する観点から、長手方向の寸法Ｌ１が５ｍｍ以上且つ１５ｍｍ以下である。すなわち、前軟領域３Ａは、腹側端部２ｆから股下部２Ｃ側へ５ｍｍ以上且つ１５ｍｍ以下の範囲内の領域として設定されている。
また、本実施形態の前軟領域３Ａは、非肌側の表面よりも肌側の表面において、摩擦係数（静摩擦係数及び動摩擦係数の双方）が小さい。したがって、前軟領域３Ａでは、肌側の表面が非肌側の表面よりも滑りやすい性質をもつ。
【００３１】
本実施形態の前軟領域３Ａは、非肌側の表面がカバーシート２５で構成され、肌側の表面の大部分がトップシート２２で構成されている。このため、本実施形態では、トップシート２２の肌側の表面がカバーシート２５の非肌側の表面よりも滑りやすく構成されることで、前軟領域３Ａにおける肌側及び非肌側の表面の摩擦係数が互いに相違している。なお、このような摩擦係数（滑りやすさ）の設定は、滑剤を用いたり、トップシート２２及びカバーシート２５の材質や表面形状を適宜調整したりすることで、実施できる。例えば、トップシート２２に凹部６を設けることで、凹部６が設けられない場合と比べて、肌側の表面における対象物との接触面積が小さくなるため、肌側の表面を滑りやすくできる。
【００３２】
前硬領域４Ａは、前軟領域３Ａよりも股下部２Ｃ側に設けられ、前軟領域３Ａと離間する。本実施形態の前硬領域４Ａには、トップシート２２及びカバーシート２５に加えて、バックシート２４とターゲットシート２６とが設けられている。すなわち、前硬領域４Ａは、トップシート２２及びカバーシート２５に加えて、バックシート２４とターゲットシート２６とが厚み方向に重ねられた（積層された）領域である。
【００３３】
本実施形態の前硬領域４Ａには、これらのシート２２，２４〜２６に加えて吸収体２１も配置（積層）されている。吸収体２１は、上記のとおりトップシート２２及びカバーシート２５の間に配置（積層）されている。吸収体２１は、より詳細には、厚み方向においてトップシート２２とバックシート２４とで挟まれている。
なお、前硬領域４Ａの幅方向の両側には、サイドシート２３も設けられている。ここでは、吸収体２１の腹側端部２ｆ側の縁部２１ａと、ターゲットシート２６の腹側端部２ｆ側の縁部２６ａとが、厚み方向視で重複する配置を例示する。
【００３４】
本実施形態の前硬領域４Ａは、前軟領域３Ａと比べて、厚み方向の構成要素の数（積層枚数）が多く設定されることで硬く形成されている。前硬領域４Ａは、前軟領域３Ａよりも、硬いことから折れ曲がれにくく、装着状態で捲れにくい性質をもつ。  なお、本実施形態の前硬領域４Ａには、軟凹部６Ａと同一直線上に延びる硬凹部６Ｂが設けられている。
【００３５】
前中領域５Ａは、前軟領域３Ａと前硬領域４Ａとの間にわたると共に幅方向に延在する。本実施形態の前中領域５Ａには、トップシート２２及びカバーシート２５に加えてバックシート２４が積層されており、吸収体２１やターゲットシート２６は設けられていない。すなわち、前中領域５Ａは、吸収体２１やターゲットシート２６よりも腹側端部２ｆ側でトップシート２２とカバーシート２５とバックシート２４とが厚み方向に重ねられた領域である。なお、前中領域５Ａの幅方向の両側には、サイドシート２３も設けられている。
【００３６】
本実施形態の前中領域５Ａは、前軟領域３Ａと比べて、厚み方向の構成要素の数が多く設定されることで硬く形成されている。また、前中領域５Ａは、前硬領域４Ａと比べて、厚み方向の構成要素の数が少なく設定されることで柔らかく形成されている。
前中領域５Ａは、前軟領域３Ａと比べれば、硬いことから折れ曲がれにくく、装着状態で捲れにくい性質をもつ。一方、前中領域５Ａは、前硬領域４Ａと比べれば、柔らかいことから折れ曲がりやすく、装着状態で捲れやすい性質をもつ。
【００３７】
前中領域５Ａには、中凹部６Ｃが設けられる。中凹部６Ｃが設けられた前中領域５Ａは、中凹部６Ｃが設けられない場合と比べて、平面視で長手方向に交差する軸まわりの丸まりが抑制される。これにより前中領域５Ａは、略平面状の姿勢を保ったまま、前硬領域４Ａに対して折り返されやすくなっている。
なお、ここでは軟凹部６Ａ及び硬凹部６Ｂの各々と繋がった中凹部６Ｃを例示するが、中凹部６Ｃは軟凹部６Ａ及び硬凹部６Ｂの少なくとも一方と離間して（繋がらずに）設けられてもよい。
【００３８】
本実施形態の前中領域５Ａは、折り返しモードを適切に設定する観点から、長手方向の寸法Ｌ２が５ｍｍ以上且つ１５ｍｍ以下である。すなわち、前中領域５Ａは、前軟領域３Ａから股下部２Ｃ側へ５ｍｍ以上且つ１５ｍｍ以下の範囲内の領域として設定されている。
長手方向に互いに隣接する前軟領域３Ａ及び前中領域５Ａは、一体的な捲れを抑制する観点から、長手方向の合計の寸法Ｌａ（＝Ｌ１＋Ｌ２）が２５ｍｍ以下である。すなわち、前軟領域３Ａ及び前中領域５Ａは、腹側端部２ｆから股下部２Ｃ側へ２５ｍｍ以下の範囲内の領域として設定されている。
【００３９】
本実施形態の前中領域５Ａは、前軟領域３Ａと同様に、非肌側の表面よりも肌側の表面において、摩擦係数（静摩擦係数及び動摩擦係数の双方）が小さい。したがって、前中領域５Ａでは、肌側の表面が非肌側の表面よりも滑りやすい性質をもつ。
本実施形態の前中領域５Ａは、前軟領域３Ａと同じく、非肌側の表面がカバーシート２５で構成され、肌側の表面の大部分がトップシート２２で構成されている。このため、本実施形態では、上記のとおりトップシート２２の肌側の表面がカバーシート２５の非肌側の表面よりも滑りやすく構成されることで、前中領域５Ａにおける肌側及び非肌側の表面の摩擦係数も互いに相違している。
【００４０】
図５に示すように、本実施形態の前身頃２Ａでは、カバーシート２５が前軟領域３Ａと前中領域５Ａと前硬領域４Ａとにわたって平面状に延在している。これに対し、トップシート２２は、前軟領域３Ａから前硬領域４Ａにかけて肌側へ隆起した段状をなす。具体的には、トップシート２２は、前軟領域３Ａから前中領域５Ａにかけて、バックシート２４の厚み寸法に応じて肌側へ隆起した段状をなし、前中領域５Ａから前硬領域４Ａにかけて、吸収体２１の厚み寸法に応じて肌側に隆起した段状をなす。
このように、本実施形態の前身頃２Ａでは、三つの領域３Ａ，４Ａ，５Ａで厚み方向の構成要素の数が異なることに応じて、肌側のトップシート２２が厚み方向において段状をなすように形成されている。このように、本実施形態の前身頃２Ａでは、非肌側のカバーシート２５が平面状をなすのに対し、肌側のトップシート２２が凹凸をなす。
【００４１】
次に、後身頃２Ｂに着目して説明する。
図４に示すように、後身頃２Ｂには、背側端部２ｒから股下部２Ｃ（長手方向の内側，図４中の下側）へ向けて、後軟領域３Ｂ，後中領域５Ｂ，後硬領域４Ｂがこの順に隙間なく並んで設けられている。本実施形態では、後軟領域３Ｂ，後中領域５Ｂ，後硬領域４Ｂが、おむつ２の幅方向の中央部に設定された例を示す。
【００４２】
後軟領域３Ｂは、上記の前軟領域３Ａに対し、背側端部２ｒを含む点が異なり、他の点が共通する。すなわち、後軟領域３Ｂは、バックシート２４よりも背側端部２ｒ側でトップシート２２及びカバーシート２５が厚み方向に重ね合わされた領域であって、幅方向に延在する。後軟領域３Ｂには、軟凹部６Ａが設けられている。また、後軟領域３Ｂは、長手方向の寸法Ｌ３が５ｍｍ以上且つ１５ｍｍ以下であり、非肌側の表面よりも肌側の表面において、摩擦係数（静摩擦係数及び動摩擦係数の双方）が小さい。
【００４３】
後硬領域４Ｂは、後軟領域３Ｂよりも股下部２Ｃ側に設けられ、後軟領域３Ｂから離間する。後硬領域４Ｂは、上記の前硬領域４Ａに対し、吸収体２１及びターゲットシート２６に代えてウェストギャザー２９を構成要素とする点が異なり、他の点が共通する。すなわち、本実施形態の後硬領域４Ｂには、トップシート２２及びカバーシート２５に加えて、バックシート２４とウェストギャザー２９とが設けられている。より具体的にいえば、後硬領域４Ｂは、トップシート２２及びカバーシート２５に加えて、バックシート２４と弾性部材９とが厚み方向に重ねられた（積層された）領域である。
本実施形態の後硬領域４Ｂは、後軟領域３Ｂと比べて、厚み方向の構成要素の数が多く設定されることで硬く形成されている。後硬領域４Ｂは、後軟領域３Ｂよりも、硬いことから折れ曲がれにくく、装着状態で捲れにくい性質をもつ。後硬領域４Ｂには、硬凹部６Ｂが設けられている。
【００４４】
後中領域５Ｂは、上記の前中領域５Ａに対し、後軟領域３Ｂと後硬領域４Ｂとの間にわたる点が異なり、他の点が共通する。すなわち、後中領域５Ｂは、ウェストギャザー２９よりも背側端部２ｒ側でトップシート２２及びカバーシート２５に加えてバックシート２４が厚み方向に重ねられた（積層された）領域であって、幅方向に延在する。また、後中領域５Ｂは、長手方向の寸法Ｌ４が５ｍｍ以上且つ１５ｍｍ以下であり、非肌側の表面よりも肌側の表面において、摩擦係数（静摩擦係数及び動摩擦係数の双方）が小さい。
【００４５】
本実施形態の後中領域５Ｂは、後軟領域３Ｂと比べて、厚み方向の構成要素の数が多く設定されることで硬く形成されている。また、後中領域５Ｂは、後硬領域４Ｂと比べて、厚み方向の構成要素の数が少なく設定されることで柔らかく形成されている。
後中領域５Ｂは、後軟領域３Ｂと比べれば、硬いことから折れ曲がれにくく、装着状態で捲れにくい性質をもつ。一方、後中領域５Ｂは、後硬領域４Ｂと比べれば、柔らかいことから折れ曲がりやすく、装着状態で捲れやすい性質をもつ。
【００４６】
後中領域５Ｂにも、中凹部６Ｂが設けられる。中凹部６Ｃが設けられた後中領域５Ｂは、中凹部６Ｃが設けられない場合と比べて、平面視で長手方向に交差する軸まわりの丸まりが抑制される。これにより後中領域５Ｂは、略平面状の姿勢を保ったまま、後硬領域４Ｂに対して折り返されやすくなっている。
【００４７】
後身頃２Ｂにおいても、長手方向に互いに隣接する後軟領域３Ｂ及び後中領域５Ｂは、長手方向の合計の寸法Ｌｂ（＝Ｌ３＋Ｌ４）が２５ｍｍ以下である。すなわち、後軟領域３Ｂ及び後中領域５Ｂは、背側端部２ｒから股下部２Ｃ側へ２５ｍｍ以下の範囲内の領域として設定されている。
なお、後軟領域３Ｂ，後硬領域４Ｂ及び後中領域５Ｂのいずれにおいても、幅方向の両側にはサイドシート２３が設けられている。
【００４８】
［２．作用及び効果］
（１）おむつ２の装着状態では、腹側端部２ｆ又は背側端部２ｒを含む軟領域３が、硬領域４及び中領域５よりも柔らかいことから動きやすく、着用者の肌との間に隙間を生じやすい。軟領域３と着用者の肌との間に生じた隙間は空気の通り道となることから、上記の軟領域３を備えたおむつ２によれば、通気性を高められる。
【００４９】
一方で、図６（ａ）に前身頃２Ａを例に挙げて示すように、軟領域３は、硬領域４及び中領域５よりも柔らかいため、装着状態で中領域５から外側（非肌側）へ捲れる（折り返される）ことがある。例えばおむつ２の外側の衣服（ズボン等）を脱ぐのに伴い、おむつ２をずり落とす方向の力Ｆ（以下、「引き摺り力Ｆ」ともいう）が印加されておむつ２の腹側端部２ｆや背側端部２ｒが大きく捲れた場合は、外側の衣服との接触面積が増えることで、おむつ２のずり落ちを招く。
【００５０】
また、硬領域４よりも柔らかい軟領域３及び中領域５が例えば幅方向に沿う軸まわりに丸まった場合には、この部分の厚みが増大することで、外側の衣服の伸縮部材やベルト等からの圧力により着用者の腹部への圧迫や食い込みが生じ、着用者に違和感を与える虞がある。これにより、着用者（特に乳児や幼児）は、おむつ２を適正な装着位置から自発的にずらしてしまう可能性がある。
【００５１】
これに対し、おむつ２では、軟領域３よりも股下部２Ｃ側の硬領域４が、軟領域３よりも硬いことから動きにくく、着用者の肌に沿った状態に保持されやすい。
また、軟領域３及び硬領域４の間の中領域５は、軟領域３よりも硬いため、軟領域３よりも捲れにくく、外側の衣服との接触面積の増加を抑制できる。さらに、中領域５は、硬領域４よりも柔らかいため、図６（ｂ）に示すように硬領域４から外側へ折り返された場合には、引き摺り力Ｆを逃がす（去なす）ことができる。
このように、おむつ２では、軟領域３及び中領域５の段階的な（本実施形態では二段階の）折り返しにより、腹側端部２ｆや背側端部２ｒの大きな捲れや位置ずれを抑制できる。よって、おむつ２のずり落ちを抑制できる。
【００５２】
また、中領域５で長手方向に延在して梁構造をなす中凹部６Ｃによれば、上記のような中領域５の捲れや丸まりを効果的に抑制できる。中領域５の捲れが抑制されることで、外側の衣服との接触面積の増加がより抑えられるため、おむつ２のずり落ちをより抑制できる。また、中領域５は、丸まりが抑制されることで硬領域４から適切に折り返されやすくなるため、引き摺り力Ｆをより適切に逃がすことができる。このように、中領域５が丸まらずに硬領域４に対して折り曲げられることにより、おむつ２のずり落ちを更に抑制できる。
【００５３】
ところで、乳児や幼児である着用者は、意図せず軟領域３や中領域５を手で捲ってしまうことがある。これに対し、おむつ２では、上記のように軟領域３及び中領域５の段階的な折り返しで引き摺り力Ｆを逃がせると共に、硬領域４が着用者の肌に沿った状態に保持されることで、着用者が意図せず軟領域３や中領域５を捲った場合であっても、ずり落ちを抑制できる。
なお、図６（ａ），（ｂ）には前身頃２Ａを例示するが、後身頃２Ｂでも同様の作用及び効果が得られる。
【００５４】
（２）軟領域３には、おむつ２の肌側の表面に延在するトップシート２２と、おむつ２の非肌側の表面に延在するカバーシート２５とが積層され、中領域５には、これらのシート２２，２５に加えて、液不透過性をもつバックシート２４が積層される。このように、おむつ２に通常装備されるシート２２，２４，２５の積層枚数を軟領域３と中領域５とで相違させることにより、中領域５を軟領域３よりも硬くできる。よって、おむつ２の構成の複雑化を抑制できると共に、コストを抑制できる。
【００５５】
（３）硬領域４には、所定の機能をもつシート状の機能材（本実施形態ではターゲットシート２６又は弾性部材９）が設けられるため、おむつ２に所定の機能を与える機能材を利用して、軟領域３及び中領域５よりも硬領域４を硬くできる。これによっても、おむつ２の構成の複雑化を抑制できると共に、コストを抑制できる。
【００５６】
（４）後硬領域４Ｂに設けられる機能材は、幅方向に弾性変形してウェストギャザー２９をなす弾性部材９であるため、おむつ２に通常装備されるウェストギャザー２９の弾性部材９を利用して、軟領域３及び中領域５よりも硬領域４を硬くできる。よって、上記のとおり、おむつ２の構成の複雑化を抑制できると共にコストを抑制できる。
【００５７】
（５）前硬領域４Ａに設けられる機能材は、テープ１が止着されるターゲットシート２６であるため、テープ型のおむつ２に通常装備されるターゲットシート２６を利用して、前軟領域３Ａ及び前中領域５Ａよりも前硬領域４Ａを硬くできる。よって、上記のとおり、おむつ２の構成の複雑化を抑制できると共にコストを抑制できる。
【００５８】
（６）カバーシート２５が前中領域５Ａと前硬領域４Ａとにわたって平面状に延在するため、カバーシート２５がこれらの領域５Ａ，４Ａで段状をなす場合と比べて、カバーシート２５に接する外側の衣服の引っ掛かりを抑制できる。これにより、外側の衣服の上げ下げによるカバーシート２５の引き摺りが抑制されるため、おむつ２の位置ずれやずり落ちを抑制できる。また、本実施形態のようにカバーシート２５が前軟領域３Ａから前硬領域４Ａにわたって平面状に延在する場合は、カバーシート２５に接する外側の衣服の引っ掛かりが更に抑制されることから、おむつ２の位置ずれやずり落ちを更に抑制できる。
【００５９】
（７）軟領域３で長手方向に延在して梁構造をなす軟凹部６Ａによれば、軟領域３の捲れや丸まりを効果的に抑制できる。軟領域３の捲れが抑制されることで、外側の衣服との接触面積の増加が一層抑えられるため、おむつ２のずり落ちを一層抑制できる。また、軟領域３の丸まりが抑制されることで、軟領域３が中領域５から適切に折り返されやすくなるとともに、軟領域３に隣接する中領域５の丸まりも抑制されるため中領域５が硬領域４からより適切に折り返されやすくなる。これらより、引き摺り力Ｆをより適切に逃がすことができる。このように、軟領域３及び中領域５が丸まらずに折り曲げられることにより、おむつ２のずり落ちを更に抑制できる。
【００６０】
なお、軟領域３と中領域５と硬領域４とにわたって延在する凹部６によれば、軟領域３と中領域５と硬領域４との全域で幅方向に沿う線での折れ曲がりを抑制できる。これにより、軟領域３，中領域５及び硬領域４のいずれにおいても捲れが抑制されることから、外側の衣服との接触面積の増大に起因したおむつ２のずり落ちを更に抑制できる。
また、凹部６で補強された硬領域４は、凹部６が設けられないものと比べて、着用者の肌に沿った状態に保持されやすいため、おむつ２の位置ずれを更に抑制できる。これによっても、おむつ２のずり落ちを更に抑制できる。
【００６１】
（８）図６（ａ）に示すように、軟領域３は、装着状態で上記のように外側へ捲れた場合に、肌側の表面が外側を向き、非肌側の表面が内側（肌側）を向く。この点、軟領域３は、非肌側の表面よりも肌側の表面において摩擦係数が小さいことから、上記のように外側へ捲れた場合に、外側を向く肌側の表面が、内側を向く非肌側の表面よりも滑りやすくなる。このため、外側へ捲れた軟領域３と、おむつ２の外側の衣服との摩擦を抑制できる。これにより、外側の衣服の上げ下げによる軟領域３の引き摺りが抑制されるため、おむつ２の位置ずれやずり落ちを更に抑制できる。
【００６２】
中領域５についても同様である。すなわち図６（ｂ）に示すように、中領域５は、装着状態で上記のように外側へ捲れた場合に、肌側の表面が外側を向き、非肌側の表面が内側（肌側）を向く。この点、中領域５は、非肌側の表面よりも肌側の表面において摩擦係数が小さいことから、上記のように外側へ捲れた場合に、外側を向く肌側の表面が、内側を向く非肌側の表面のよりも滑りやすくなる。このため、外側へ捲れた中領域５と、おむつ２の外側の衣服との摩擦を抑制できる。これにより、外側の衣服の上げ下げによる軟領域５の引き摺りが抑制されるため、おむつ２の位置ずれやずり落ちを更に抑制できる。
【００６３】
（９）軟領域３及び中領域５の各々において長手方向の寸法が５ｍｍ以上に確保されることで、軟領域３及び中領域５が段階的に折り返されやすくなるため、上記の段階的な折り返しをより適切に実現できる。このような折り返しモードにより、おむつ２の腹側端部２ｆや背側端部２ｒの大きな捲れや位置ずれが確実に抑制されることから、おむつ２のずり落ちを確実に抑制できる。
また、軟領域３及び中領域５の各々は、長手方向の寸法が１５ｍｍ以下に抑えられることで、外側の衣服との接触面積が抑えられる。これにより、外側の衣服の上げ下げによる軟領域３及び中領域５の引き摺りが抑制されるため、おむつ２の位置ずれやずり落ちを更に抑制できる。
【００６４】
（１０）軟領域３及び中領域５において長手方向の合計の寸法が２５ｍｍ以下に抑えられることで、軟領域３及び中領域５の一体的な捲れを抑制できる。これにより、上記の二段階の折り返しの確実性を高められる。よって、おむつ２のずり落ちを更に抑制できる。
【００６５】
（１１）三種類の領域３〜５が前身頃２Ａ及び後身頃２Ｂのそれぞれに設けられるため、前身頃２Ａ及び後身頃２Ｂの双方で、上記のとおり通気性を高めつつ、おむつ２のずり落ちを抑制できる。したがって、三種類の領域３〜５が前身頃２Ａ及び後身頃２Ｂのいずれか一方のみに設けられる場合と比べて、おむつ２の通気性を更に高められると共に、ずり落ちを更に抑制できる。
【００６６】
（１２）前硬領域４Ａには、吸液性をもつマット状の吸収体２１が設けられるため、おむつ２に通常装備される吸収体２１を利用して、前軟領域３Ａ及び前中領域５Ａよりも前硬領域４Ａを厚み方向にかさ増しすることで硬くできる。よって、おむつ２の構成の複雑化を抑制できると共に、コストを抑制できる。
【００６７】
（１３）軟領域３の肌側の表面には長手方向に延在する凹部６が設けられるため、凹部６が設けられない場合と比べて、軟領域３の肌側の表面に沿って長手方向に移動する対象物との摩擦を低減できる。したがって、装着状態で軟領域３が上記のように外側へ捲れた場合に、外側の衣服の長手方向に沿う移動を凹部６で円滑化できる。これにより、外側の衣服の上げ下げによる軟領域３の引き摺りが抑制されるため、おむつ２の位置ずれやずり落ちを抑制できる。
【００６８】
同様に、中領域５の肌側の表面には長手方向に延在する凹部６が設けられるため、凹部６が設けられない場合と比べて、中領域５の肌側の表面に沿って長手方向に移動する対象物との摩擦を低減できる。したがって、装着状態で中領域５が上記のように外側へ捲れた場合に、外側の衣服の長手方向に沿う移動を凹部６で円滑化できる。これにより、外側の衣服の上げ下げによる中領域５の引き摺りが抑制されるため、おむつ２の位置ずれやずり落ちを抑制できる。
【００６９】
［３．変形例］
［３−１．第一変形例］
上記の前身頃２Ａの構成は一例である。上記の前身頃２Ａに代えて、図７に示す前身頃２Ａ′が適用されてもよい。本変形例に係る前身頃２Ａ′は、上記の前身頃２Ａに対し、トップシート２２及びカバーシート２５の厚み方向の形状が異なり、他の点は共通する。なお、図７及び後述の図８，９では、上記の実施形態で説明した要素と同一又は対応する要素に同一の符号を付し、重複する説明を省略する。
【００７０】
図７に示すように、本変形例の前身頃２Ａ′では、トップシート２２が前軟領域３Ａと前中領域５Ａと前硬領域４Ａとにわたって平面状に延在し、カバーシート２５が前軟領域３Ａから前硬領域４Ａにかけて非肌側へ隆起した段状をなす。前身頃２Ａ′に設けられたカバーシート２５は、前軟領域３Ａから前中領域５Ａにかけて、バックシート２４の厚み寸法に応じて非肌側へ隆起した段状をなし、前中領域５Ａから前硬領域４Ａにかけて、吸収体２１の厚み寸法に応じて非肌側に隆起した段状をなす。
このように、前身頃２Ａ′では、三つの領域３Ａ，４Ａ，５Ａで厚み方向の構成要素の数が異なることに応じて、非肌側のカバーシート２５が厚み方向において段状をなすように形成されている。すなわち、本変形例の前身頃２Ａ′では、肌側のトップシート２２が平面状をなすのに対し、非肌側のカバーシート２５が凹凸をなす。
【００７１】
着用者の肌に接するトップシート２２が上記のように平面状に延在する場合は、トップシート２２が段状をなす場合と比べて、装着状態で着用者の肌にストレスを与えにくくできる。
一方、このように肌側のトップシート２２が前身頃２Ａ′で平面状に延在すると、三つの領域３Ａ，４Ａ，５Ａで厚み方向の構成要素の数が異なることに応じて、非肌側のカバーシート２５に凹凸が生じる。外側の衣服に接するカバーシート２５が上記のように段状をなす場合は、カバーシート２５が平面状に延在する場合と比べて、外側の衣服がカバーシート２５に引っ掛かりやすくなるため、外側の衣服の上げ下げに伴ってカバーシート２５が引き摺られやすくなる。
【００７２】
これに対し、本変形例の前身頃２Ａ′には上記の三つの領域３Ａ，４Ａ，５Ａが設けられるため、上記の実施形態と同様に、着用者の肌に沿った状態に保持される前硬領域４Ａと、段階的に折り返される前軟領域３Ａ及び前中領域５Ａとにより、腹側端部２ｆの大きな捲れや位置ずれを抑制できる。したがって、外側の衣服の上げ下げに伴いカバーシート２５が引き摺られたとしても、おむつの位置ずれやずり落ちを抑制できる。
【００７３】
本変形例の前身頃２Ａ′における前中領域５Ａは、折り返しモードを適切に設定する観点から、長手方向の寸法Ｌ２′が前硬領域４Ａの厚み寸法Ｔよりも大きい（Ｌ２′＞Ｔ）。これにより、図８に示すように、前中領域５Ａが前硬領域４Ａから外側へ折り返された場合に、前軟領域３Ａが前硬領域４Ａ（吸収体２１やターゲットシート２６）よりも外側へ配置されて前硬領域４Ａの外側に沿いやすくなる。このため、前軟領域３Ａや前中領域５Ａの丸まりをより確実に抑制できる。
【００７４】
なお、前中領域５Ａの長手方向の寸法Ｌ２′は、好ましくは、前硬領域４Ａの厚み寸法Ｔの三倍以下（Ｌ２′≦３×Ｔ）であり、より好ましくは前硬領域４Ａの厚み寸法Ｔの二倍以下（Ｌ２′≦２×Ｔ）に設定される。シート２２〜２６及び吸収体２１の厚み寸法が一般的な値である場合には、上記の不等式（Ｔ＜Ｌ２′≦２×Ｔ）を満たす寸法Ｌ２′が５ｍｍ以上且つ１５ｍｍ以下となる。
【００７５】
前中領域５Ａの長手方向の寸法Ｌ２′が上記の上限値以下に設定されれば、前中領域５Ａ内での折り曲げや丸まりを抑制できる。このため、前中領域５Ａを前硬領域４Ａに対してより適切に折り返すことができる。
そのほか、本変形例の前身頃２Ａ′が適用されたおむつによれば、上記の実施形態と同様の構成からは同様の作用及び効果が得られる。
【００７６】
［３−２．第二変形例］
図９（ａ），（ｂ）に示すように、上記の領域３〜５は、パンツ型のおむつ２′に適用されてもよい。ここでは、上記の実施形態で説明した要素と同一又は対応する要素に同一の符号を付し、重複する説明を省略する。
本変形例のおむつ２′は、前身頃２Ａ及び後身頃２Ｂの幅方向の両端部が互いに連結されてなる環状の胴回り部２Ｄを備えている。おむつ２′における背側端部２ｒ及び腹側端部２ｆは、胴回り部２Ｄの環状の縁部に対応する。なお、おむつ２′は、前身頃２Ａ及び後身頃２Ｂの幅方向の両端部における連結が解除されて平面状に広げられた状態で、展開状態をなす。
【００７７】
図９（ａ）に示すように、本変形例の前軟領域３Ａには、前身頃２Ａにおいて少なくとも非肌側の表面をなす腹側表面材１１が設けられている。また、前中領域５Ａには、腹側表面材１１に加えてバックシート２４が設けられており、前硬領域４Ａには、腹側表面材１１及びバックシート２４に加えてウェストギャザー２９が設けられている。
本変形例のウェストギャザー２９は、幅方向に弾性変形する糸状の弾性部材９により、腹側表面材１１及びバックシート２４が幅方向に皺寄せられてなる。ウェストギャザー２９は、胴回り部２Ｄの全周にわたって設けられている。
【００７８】
図９（ｂ）に示すように、本変形例の後軟領域３Ｂ，後中領域５Ｂ及び後硬領域４Ｂは、前軟領域３Ａ，前中領域５Ａ及び前硬領域４Ａとそれぞれ同様に構成されている。具体的にいえば、後軟領域３Ｂには、後身頃２Ｂにおいて少なくとも非肌側の表面をなす背側表面材１２が設けられており、後中領域５Ｂには、背側表面材１２に加えてバックシート２４が設けられており、後硬領域４Ｂには、背側表面材１２及びバックシート２４に加えてウェストギャザー２９が設けられている。
【００７９】
本変形例のおむつ２′によっても、腹側端部２ｆ又は背側端部２ｒから股下部２Ｃ側へ向けて段階的に硬くなる三種類の領域３〜５が設けられるため、上記の実施形態と同様に、通気性を高めつつ、ずり落ちを抑制できる。そのほか、本変形例のおむつ２′によれば、上記の実施形態と同様の構成からは同様の作用及び効果が得られる。
【００８０】
［３−３．その他］
領域３〜５の構成は、上記の実施形態や変形例で示したものに限定されない。領域３〜５は、上記のように段階的に硬くされればよく、例えば、構成要素の積層枚数によらず、構成要素の材質や厚み寸法に応じて硬さが調整されてもよい。また、実施形態で示したテープ型のおむつ２において、領域３〜５が前身頃２Ａと後身頃２Ｂとで同様に構成されてもよい。すなわち、上記の前身頃２Ａに設けられた三つの領域３Ａ，４Ａ，５Ａの構成が後身頃２Ｂに適用されてもよいし、上記の後身頃２Ｂに設けられた三つの領域３Ｂ，４Ｂ，５Ｂの構成が前身頃２Ａに適用されてもよい。あるいは、上記の前身頃２Ａと後身頃２Ｂとで、三つの領域３〜５の構成が入れ替えられてもよい。なお、上記の変形例で示した前身頃２Ａ′が後身頃２Ｂに適用されてもよい。
【００８１】
トップシート２２に設けられた凹部６は、長手方向に延在すると共に他部よりも補強された補強部の一例である。この補強部は、上記の凹部６に代えて（あるいは加えて）、カバーシート２５に設けられた溝（エンボス）で構成されてもよい。また、補強部は、中領域５のみに設けられてもよい。すなわち、上記の実施形態において、軟凹部６Ａ及び硬凹部６Ｂが省略され、中凹部６Ｃのみが設けられてもよい。
軟領域３及び中領域５に関する上記の寸法Ｌ１〜Ｌ４，Ｌａ，Ｌｂは、上記の範囲外の値であってもよい。
【００８２】
中領域５は、軟領域３から硬領域４へ向けて、段階的に硬くなるように構成されてもよい。また、おむつ２，２′は、硬領域４よりも股下部２Ｃ側に、硬領域４よりも硬い領域を更に備えてもよい。すなわち、おむつ２，２′は、腹側端部２ｆ又は背側端部２ｒから股下部２Ｃ側へ向けて、より多段階で硬くなるように構成されてもよい。この場合には、上記のとおり軟領域３の柔軟性により通気性を高めつつも、軟領域３以外の領域が多段階で折り返されることにより、腹側端部２ｆや背側端部２ｒの大きな捲れや位置ずれが更に抑制されるため、ずり落ちを更に抑制できる。
なお、図６（ａ），（ｂ）及び図８に示した変形モードはいずれも一例である。
【符号の説明】
【００８３】
１      テープ（止着テープ）
２，２′  おむつ
２Ａ，２Ａ′  前身頃
２Ｂ    後身頃
２Ｃ    股下部
２Ｄ    胴回り部
２ｆ    腹側端部
２ｒ    背側端部
３      軟領域
３Ａ    前軟領域
３Ｂ    後軟領域
４      硬領域
４Ａ    前硬領域
４Ｂ    後硬領域
５      中領域
５Ａ    前中領域
５Ｂ    後中領域
６      凹部（補強部）
６Ａ    軟凹部（第二補強部）
６Ｂ    硬凹部
６Ｃ    中凹部（第一補強部）
７      弾性部材
８      弾性部材
９      弾性部材（機能材）
１１    腹側表面材
１２    背側表面材
２１    吸収体
２１ａ  吸収体２１の腹側端部２ｆ側の縁部
２２    トップシート（表面シート）
２３    サイドシート
２４    バックシート
２５    カバーシート（表面シート）
２６    ターゲットシート（機能材）
２６ａ  ターゲットシート２６の腹側端部２ｆ側の縁部
２７    立体ギャザー
２８    レッグギャザー
２９    ウェストギャザー
Ｆ      引き摺り力
Ｌ１    前軟領域３Ａの長手方向の寸法
Ｌ２，Ｌ２′  前中領域５Ａの長手方向の寸法
Ｌ３    後軟領域３Ｂの長手方向の寸法
Ｌ４    後中領域５Ｂの長手方向の寸法
Ｌａ    前軟領域３Ａ及び前中領域５Ａの長手方向における合計の寸法
Ｌｂ    後軟領域３Ｂ及び後中領域５Ｂの長手方向における合計の寸法
Ｏ      幅方向の中心線
Ｔ      前硬領域４Ａの厚み寸法
【図１】
2022002684.tif 000003
【図２】
2022002684.tif 000004
【図３】
2022002684.tif 000005
【図４】
2022002684.tif 000006
【図５】
2022002684.tif 000007
【図６】
2022002684.tif 000008
【図７】
2022002684.tif 000009
【図８】
2022002684.tif 000010
【図９】
2022002684.tif 000011